【手続補正書】
【提出日】平成18年4月3日(2006.4.3)
【手続補正１】
【補正対象書類名】明細書
【補正対象項目名】特許請求の範囲
【補正方法】変更
【補正の内容】
【特許請求の範囲】
【請求項１】
記録媒体に記録する記録データ信号に基づいてレーザーダイオードを駆動する駆動波形を生成するレーザー駆動回路であって、
前記記録データ信号に同期した内部クロック信号を生成する位相ロックループ回路を備え、
該位相ロックループ回路での内部クロック信号の位相同期エッジと逆相のエッジで記録データ信号をストローブする構成としたことを特徴とするレーザー駆動回路。
【請求項２】
記録媒体に記録する記録データ信号と記録クロック信号に基づいてレーザーダイオードを駆動する駆動波形を生成するレーザー駆動回路であって、
前記記録データ信号と記録クロック信号からマーク、スペースを判定するマーク、スペース判定回路と、
入力される記録クロック信号の位相を反転させる記録クロック信号反転回路と、を備え、
前記マーク、スペース判定回路で、所定の長さ以下のマーク、または、スペースが検出されたときに、前記記録クロック信号反転回路において、記録クロック信号の位相を反転させることを特徴とするレーザー駆動回路。
【請求項３】
記録媒体に記録する記録データ信号と記録クロック信号に基づいてレーザーダイオードを駆動する駆動波形を生成するレーザー駆動回路であって、
入力される記録クロック信号の位相を反転させる記録クロック信号反転回路と、
記録データ信号をストローブするストローブクロック信号と記録データ信号との位相誤差を検出する位相誤差検出回路と、を備え、
記録データ信号のエッジとストローブクロック信号のストローブエッジとの位相差が所定の値以下となったときに、前記記録クロック信号反転回路において、
記録クロック信号を反転させる構成としことを特徴とするレーザー駆動回路。
【請求項４】
請求項２、または、３記載のレーザー駆動回路において、
記録クロックの位相を反転させる際に、記録パルスのエッジタイミングを制御する制御値に、記録クロックの１／２周期のエッジタイミングシフトを加算、または、減算することを特徴とするレーザー駆動回路。
【請求項５】
請求項２−４何れか一項に記載のレーザー駆動回路を具備した光ディスク装置であって、
記録媒体への記録波形、または、記録媒体からの再生波形をサンプルホールドするサンプルホールド回路を有しており、
記録クロック信号、または、ストローブクロック信号の位相を略１８０度変化させる制御信号を用いて、前記サンプルホールド回路のサンプルタイミングを略１８０度変化させることを特徴とする光ディスク装置。
【請求項６】
請求項２−４何れか一項に記載のレーザー駆動回路を具備したことを特徴とする光ディスク装置。
【請求項７】
記録媒体に記録する記録データ信号と記録クロック信号に基づいてレーザーダイオードを駆動する駆動波形を生成するレーザー駆動回路であって、
前記記録クロック信号に同期した内部クロック信号、および、該内部クロック信号に対し所定量ずつ位相の異なる複数のクロック信号、からなるクロック信号群を生成する位相ロックループ回路と、
前記クロック信号群のエッジタイミングを用いてレーザー駆動回路外部からの設定により記録ストラテジのエッジタイミング制御を行う記録ストラテジ制御回路と、
入力された記録データ信号をストローブするストローブクロック信号を前記クロック信号群より選択する選択回路と、
前記記録データ信号と前記内部クロック信号からマーク、スペースを判定するマーク、スペース判定回路と、を備え、
該マーク、スペース判定回路で、所定の時間幅以下のマーク、または、スペースが検出されたときに、現在ストローブクロック信号として選択されているクロック信号と位相が略１８０度異なるクロックを新たなストローブクロック信号として選択することを特徴とするレーザー駆動回路。
【請求項８】
請求項７に記載のレーザー駆動回路において、
現在ストローブクロック信号として選択されているクロック信号と位相が略１８０度異なるクロックを新たなストローブクロック信号として選択する際に、記録パルスのエッジタイミングを制御する制御値に、記録クロックの１／２周期のエッジタイミングシフトを加算、または、減算することを特徴とするレーザー駆動回路。
【請求項９】
記録媒体に記録する記録データ信号と記録クロック信号に基づいてレーザーダイオードを駆動する駆動波形を生成するレーザー駆動回路であって、
記録データ信号、または、記録クロック信号の位相を変化させることのできる可変遅延回路と、
前記記録データ信号と記録クロック信号からマーク、スペースを判定するマーク、スペース判定回路と、を備え、
前記マーク、スペース判定回路で、所定の長さ以下のマーク、またはスペースが検出されたときに、前記可変遅延回路の遅延量を変化させることを特徴とするレーザー駆動回路。
【請求項１０】
請求項７−９何れか一項に記載のレーザー駆動回路を具備したことを特徴とする光ディスク装置。
【請求項１１】
記録媒体に記録する記録データ信号と記録クロック信号に基づいてレーザーダイオードを駆動する駆動波形を生成するレーザー駆動回路であって、
前記記録クロック信号に同期した内部クロック信号、および、該内部クロック信号に対し所定量ずつ位相の異なる複数のクロック信号、からなるクロック信号群を生成する位相ロックループ回路と、
該クロック信号群のエッジタイミングを用いてレーザー駆動回路外部からの設定により記録ストラテジのエッジタイミング制御を行う記録ストラテジ制御回路と、
入力された記録データ信号をストローブするストローブクロック信号を前記クロック信号群より選択する選択回路と、を備え、
該選択回路は、前記クロック信号群の各々のクロック信号で記録データ信号をストローブした結果から、記録データ信号のエッジとストローブクロック信号のストローブエッジとの位相差が最大となるように、ストローブされた信号の中から記録ストラテジを生成するためのストローブクロック信号を選択することを特徴とするレーザー駆動回路。
【請求項１２】
記録媒体に記録する記録データ信号と記録クロック信号に基づいてレーザーダイオードを駆動する駆動波形を生成するレーザー駆動回路であって、
前記記録クロック信号に同期した内部クロック信号、および、該内部クロック信号に対し所定量ずつ位相の異なる複数のクロック信号、からなるクロック信号群を生成する位相ロックループ回路と、
該クロック信号群のエッジタイミングを用いてレーザー駆動回路外部からの設定により記録ストラテジのエッジタイミング制御を行う記録ストラテジ制御回路と、
入力された記録データ信号をストローブするストローブクロック信号と記録データ信号との位相誤差を検出する位相誤差検出回路と、を備え、
前記位相誤差検出回路の結果を用いて、記録データ信号のエッジとストローブクロック信号のストローブエッジとの位相差が最大となるように前記クロック信号群からストローブクロック信号を選択することを特徴とするレーザー駆動回路。
【請求項１３】
請求項１１、または、１２に記載のレーザー駆動回路において、
クロック信号群からストローブクロック信号を選択する際に、記録パルスのエッジタイミングを制御する制御値の基準となる基準クロック信号の位相を、ストローブクロック信号の位相と同一とすることを特徴とするレーザー駆動回路。
【請求項１４】
請求項１１−１３何れか一項に記載のレーザー駆動回路を具備した光ディスク装置であって、
記録媒体への記録波形、または、記録媒体からの再生波形をサンプルホールドするサンプルホールド回路を有しており、
ストローブクロック信号の選択の切り替え時に、該光ディスク装置内部の記録媒体への記録波形、もしくは記録媒体からの再生波形のサンプルホールド動作のサンプルタイミングと、前記ストローブクロック信号のエッジタイミングが等しくなるように、前記サンプルホールドタイミングを変化させることを特徴とする光ディスク装置。
【請求項１５】
請求項１１−１３何れか一項に記載のレーザー駆動回路を具備したことを特徴とする光ディスク装置。
【請求項１６】
記録媒体に記録する記録データ信号と記録クロック信号に基づいてレーザーダイオードを駆動する駆動波形を生成するレーザー駆動回路であって、
前記記録クロック信号に同期した内部クロック信号、および、該内部クロック信号に対し所定量ずつ位相の異なる複数のクロック信号、からなるクロック信号群を生成する位相ロックループ回路と、
該クロック信号群のエッジタイミングを用いてレーザー駆動回路外部からの設定により記録ストラテジのエッジタイミング制御を行う記録ストラテジ制御回路と、
記録データ信号、または、記録クロック信号の位相を変化させることのできる可変遅延回路と、
を具備し、
該クロック信号群の複数のクロック信号で記録データ信号をストローブした結果から、記録データ信号のエッジとストローブクロック信号のストローブエッジとの位相差が最大となるよう前記可変遅延回路の遅延量を制御することを特徴とするレーザー駆動回路。
【請求項１７】
記録媒体に記録する記録データ信号と記録クロック信号に基づいてレーザーダイオードを駆動する駆動波形を生成するレーザー駆動回路であって、
前記記録クロック信号に同期した内部クロック信号、および、該内部クロック信号に対し所定量ずつ位相の異なる複数のクロック信号、からなるクロック信号群を生成する位相ロックループ回路と、
該クロック信号群のエッジタイミングを用いてレーザー駆動回路外部からの設定により記録ストラテジのエッジタイミング制御を行う記録ストラテジ制御回路と、
記録データ信号をストローブするストローブクロック信号と記録データ信号との位相誤差を検出する位相誤差検出回路と、
記録データ信号、または、記録クロック信号の位相を変化させることのできる可変遅延回路と、
を具備し、
前記位相誤差検出回路の結果を用いて、記録データ信号のエッジとストローブクロック信号のストローブエッジとの位相差が最大となるよう前記可変遅延回路の遅延量を制御することを特徴とするレーザー駆動回路。
【請求項１８】
請求項１６、または、１７に記載のレーザー駆動回路を具備したことを特徴とする光ディスク装置。